(57)【要約】【課題】握り飯を立った状態で支持しやすく、しかも簡単に広い開口を得ることができる握り飯用包装材および握り飯用包装材原反を提供することを目的とする。【解決手段】この発明の握り飯用包装材１は、プラスチックフィルムを素材とする長方形状の包装シート２と、包装シート２に設けられた開封補助テープ３と、開封補助テープ３に沿ったいずれかの位置で包装シート２に形成された切込み線４と、切込み線４を覆うカバーシート５を有し、包装シート２と開封補助テープ３の厚さが２０μｍ以上であり、開封補助テープ３の幅が２０ｍｍ以上かつ包装対象の握り飯の幅の８０％以下である。【選択図】図２
2018095274.tif 000002
【特許請求の範囲】
【請求項１】
プラスチックフィルムを素材とする長方形状の包装シートと、包装シートに設けられた開封補助テープと、開封補助テープに沿ったいずれかの位置で包装シートに形成された切込み線と、切込み線を覆うカバーシートを有し、包装シートと開封補助テープの厚さが２０μｍ以上であり、開封補助テープの幅が２０ｍｍ以上かつ包装対象の握り飯の幅の８０％以下である握り飯用包装材。
【請求項２】
開封補助テープの幅が包装対象の握り飯の幅の４０％以上８０％以下であり、開封補助テープの幅中心が包装シート幅中心とずれた位置に設けられている請求項１に記載の握り飯用包装材。
【請求項３】
連続した帯状のプラスチックフィルムを素材とする包装シートと、包装シートの長さ方向に沿って設けられた開封補助テープと、開封補助テープに沿って所定の周期で包装シートに形成された切込み線と、切込み線を覆うカバーシートを有し、包装シートと開封補助テープの厚さが２０μｍ以上であり、開封補助テープの幅が２０ｍｍ以上かつ包装対象の握り飯の幅の８０％以下である握り飯用包装材原反。
【請求項４】
開封補助テープの幅が包装対象の握り飯の幅の４０％以上８０％以下であり、開封補助テープの幅中心が包装シート幅中心とずれた位置に設けられている請求項３に記載の握り飯用包装材原反。
【発明の詳細な説明】
【技術分野】
【０００１】
この発明は、握り飯用の包装材に関する。
【背景技術】
【０００２】
特許文献１や特許文献２などには、おにぎり用外包フィルムが記載されている。長方形のフィルム本体に開封補助テープが取り付けられており、このおにぎり用外包フィルムで円盤状のおにぎりを包装する。食べるときには、この開封補助テープにより開封する。
【先行技術文献】
【特許文献】
【０００３】
【特許文献１】意匠登録第１２０３５４０号公報
【特許文献２】意匠登録第１２０４０１１号公報
【発明の概要】
【発明が解決しようとする課題】
【０００４】
特許文献１や特許文献２などに記載されたおにぎり用外包フィルムの開封補助テープは細いものである。同文献には幅寸法は明記されていないが、このような外包フィルムの開封補助テープの幅は通常は１０ｍｍ以下である。また、フィルム本体や開封補助テープの厚さ寸法も明記されていないが、このような外包フィルムの場合、厚さは２０μｍ以下である。このような従来の外包フィルムでおにぎりを包装した場合、外包フィルムは薄い膜としておにぎりを包み、包装体としてはおにぎり自体の形状のままである。おにぎり用外包フィルム自体には構造材としての強度はない。特許文献１や特許文献２の使用状態を示す参考図に示されるように、包装されたおにぎりは広い面を水平にした状態で置かれることになる。
【０００５】
しかし、包装握り飯は店頭においては広い面を垂直にした状態で陳列されることが好ましい。その方が多数を狭い場所に並べることができ、また広い面に記載された商品名や説明を消費者が見ることができる。従来の包装部材は握り飯を立てた状態で支持するような強度を有しないため、そのような陳列は行いにくい。この発明は、握り飯を立った状態で支持しやすく、しかも簡単に広い開口を得ることができる握り飯用包装材および握り飯用包装材原反を提供することを目的とする。
【課題を解決するための手段】
【０００６】
上述の課題を解決するため、この発明の握り飯用包装材は、プラスチックフィルムを素材とする長方形状の包装シートと、包装シートに設けられた開封補助テープと、開封補助テープに沿ったいずれかの位置で包装シートに形成された切込み線と、切込み線を覆うカバーシートを有し、包装シートと開封補助テープの厚さが２０μｍ以上であり、開封補助テープの幅が２０ｍｍ以上かつ包装対象の握り飯の幅の８０％以下である。
【０００７】
また、この発明の握り飯用包装材原反は、連続した帯状のプラスチックフィルムを素材とする包装シートと、包装シートの長さ方向に沿って設けられた開封補助テープと、開封補助テープに沿って所定の周期で包装シートに形成された切込み線と、切込み線を覆うカバーシートを有し、包装シートと開封補助テープの厚さが２０μｍ以上であり、開封補助テープの幅が２０ｍｍ以上かつ包装対象の握り飯の幅の８０％以下である。
【０００８】
さらに、開封補助テープの幅が包装対象の握り飯の幅の４０％以上８０％以下であり、開封補助テープの幅中心が包装シート幅中心とずれた位置に設けることもできる。
【発明の効果】
【０００９】
この発明において、厚くて幅広い開封補助テープが包装された握り飯を支え、握り飯を立った状態で支持することができる。
【図面の簡単な説明】
【００１０】
【図１】握り飯用包装材原反の第１の例を示す斜視図である。
【図２】握り飯用包装材の第１の例を示す正面図である。
【図３】同平面図である。
【図４】同左側面図である。
【図５】同右側面図である。
【図６】同拡大Ａ−Ａ断面図である。
【図７】包装握り飯の第１の例を示す斜視図である。
【図８】握り飯用包装材原反の第２の例を示す斜視図である。
【図９】握り飯用包装材の第２の例を示す正面図である。
【図１０】同平面図である。
【図１１】同左側面図である。
【図１２】同右側面図である。
【図１３】同拡大Ａ−Ａ断面図である。
【図１４】包装握り飯の第２の例を示す斜視図である。
【発明を実施するための形態】
【００１１】
この発明を実施するための形態について図面に基づいて説明する。まず、第１の実施形態について説明する。図１は握り飯用包装材原反の第１の例を示す斜視図である。プラスチックフィルムを素材とする長方形状の包装シート２は一定の幅の連続シートである。この包装シート２上には、その長さ方向に沿って開封補助テープ３が設けられている。そして、開封補助テープ３に沿って所定の周期Ｌで包装シート２と開封補助テープ３に切込み線４が形成されている。この周期Ｌが１枚の握り飯用包装材を構成する単位長さとなる。そして、切込み線４のある位置において、切込み線４を覆うカバーシート５が設けられている。
【００１２】
このような開封補助テープはカットテープなどと呼ばれ、これを備えた食品包装材はすでに普及している。しかし、本発明においては、包装シート２は通常の握り飯用包装材よりも厚く、また開封補助テープ３は通常の握り飯用包装材より厚く幅広い。本例においては、包装シート２は厚さが４０μｍであり、開封補助テープ３は厚さが４０μｍで幅が２０ｍｍである。そして、開封補助テープ３は包装シート２の幅中央に沿って設けられている。また、包装シート２の幅は２００ｍｍ、繰返し周期は２２０ｍｍである。これは、幅８５ｍｍ程度で厚さ３０ｍｍ程度の円盤状の握り飯の包装用として選択した。
【００１３】
この握り飯用包装材原反１０は紙管１１に巻かれた状態で食品製造業者等に提供される。食品製造業者等はこの握り飯用包装材原反１０を使用して握り飯を包装し、包装握り飯を得る。紙管１１から引き出していき、先端にある部分に握り飯を載せ、所定の切断位置で一枚分の握り飯用包装材を切り出しながら、その握り飯用包装材で握り飯を包む。このとき、握り飯を立てたときに頂点となる位置に切込み線４を合わせる。そして、握り飯の裏側となる面に握り飯用包装材の折り畳み端が集まるように包み、その面に粘着テープやシールを貼って封止する。この包装作業は自動化された包装装置を用いて通常は実施される。
【００１４】
図２は握り飯用包装材の第１の例を示す正面図であり、１周期分の握り飯用包装材原反１０を所定の切断位置で切り出した状態を示している。図３は同平面図、図４は同左側面図、図５は同右側面図、図６は同拡大Ａ−Ａ断面図である。なお、本例では握り飯用包装材はすべて透明な素材で構成されており、背面図は正面図と同一に表れ、底面図は平面図と対称に表れる。
【００１５】
得られた握り飯用包装材１はプラスチックフィルムを素材とする長方形状の包装シート２と、包装シート２に設けられた開封補助テープ３と、開封補助テープ３に沿ったいずれかの位置で包装シート２に形成された切込み線４と、切込み線４を覆うカバーシート５を有している。本例では幅２００ｍｍ、長さ２２０ｍｍであり、包装シート２は厚さが４０μｍ、開封補助テープ３は厚さが４０μｍで幅が２０ｍｍとなる。
【００１６】
図７は包装握り飯の第１の例を示す斜視図であり、本例の握り飯用包装材原反１０および握り飯用包装材１の使用状態を示す。前述の包装方法によって握り飯ｘを本例の握り飯用包装材１で包装することによって図７のような包装握り飯２０が得られる。握り飯ｘは、円や楕円、あるいは三角形などの形状である広い面ｘ１を２面有する柱状である。包んでいる包装シート２は十分な厚みがあるので、握り飯用包装材自体が握り飯ｘを包んでいる状態でその形状を維持しようとするような構造体としての作用を有する。
【００１７】
また、厚く幅広い開封補助テープ３も握り飯ｘを支持する構造材として機能する。握り飯ｘの下側に接する部分は支持台として、また、握り飯ｘの広い面ｘ１に沿った部分は支柱として作用し、握り飯ｘの広い面ｘ１が垂直に立つように支持することができる。
【００１８】
握り飯ｘの面ｘ１は広いので、大きなラベルを貼り、ブランドや商品説明、たとえば中の具材の説明などを効果的に示すことができる。本例では握り飯用包装材１は透明な部材で構成しているが、握り飯ｘの広い面ｘ１に当たる部分に印刷を施して、情報表示してもよい。この包装握り飯を店頭の陳列棚に立てた状態で置くことにより、広い面ｘ１に付した表示を消費者に見やすく提示することができる。また、このように立てて置くことにより、狭いスペースでも多くの商品を並べることができる。
【００１９】
この握り飯用包装材は頂部の切込み線４の部分をつまんで開封補助テープ３を引くことによって簡単に開封することができる。この発明の開封補助テープ３は幅が広いので、大きな開口を形成することができる。開封補助テープ３の幅を広くすることによってより大きな開口を得ることができるが、あまり広すぎると握り飯の広い面ｘ１に残る部分が少なくなり、持ちにくくなる。したがって、開封補助テープ３の幅は握り飯ｘの幅の８０％以下にすることが好ましい。
【００２０】
次に、この発明の第２の実施形態について説明する。図８は握り飯用包装材原反の第２の例を示す斜視図である。図９は握り飯用包装材の第２の例を示す正面図であり、図１０は同平面図、図１１は同左側面図、図１２は同右側面図、図１３は同拡大Ａ−Ａ断面図である。なお、本例でも握り飯用包装材１はすべて透明な素材で構成されており、背面図は正面図と対称に表れ、底面図は平面図と対称に表れる。
【００２１】
この実施形態においても、第１の実施形態と同様に、握り飯用包装材１および握り飯用包装材原反１０は、包装シート２と、包装シート２に設けられた開封補助テープ３と、開封補助テープ３に沿ったいずれかの位置で包装シート２に形成された切込み線４と、切込み線を覆うカバーシート５を有する。包装シート２は厚く、また開封補助テープ３は厚く幅広い。包装シート２の厚さ、および開封補助テープ３の厚さと幅は第１の実施形態で示したものと同じにしている。
【００２２】
第１の実施形態では開封補助テープ３は包装シート２の幅中央に沿って設けられているが、この実施形態では開封補助テープ３の幅中央は包装シート２の幅中央に対してずれた位置に設けられる。開封補助テープ３の一方の側辺は、包装時に握り飯の一側部に近い位置に設けられることが好ましい。本例ではより幅の広い開封補助テープ３が好ましく、包装対象の握り飯の幅の４０％以上８０％以下とすることができる。
【００２３】
開封補助テープ３を引いて開封すると開封補助テープ３があった部分は開口となり、その左右の部分の包装シートが握り飯の広い面ｘ１に残る。ここで、開封補助テープ３の幅を広くすると握り飯の広い面ｘ１に残る包装シートが小さくなる。そうなると、握り飯に直接触れないようにして握り飯を把持することが難しくなる。この実施形態では開封補助テープ３を包装シート２の幅中央に対してずらすことにより、開口部のどちらか一方の側部には包装シート２が幅広く残る。この広く残った包装シート２をつまめば、握り飯ｘに直接触れないようにして握り飯ｘを持つことができる。特に本例では握り飯の広い面ｘ１の左側に包装シート２が幅広く残るようになっている。左手で広い面ｘ１の左側をつまんで握り飯ｘを保持し、右手で開封補助テープ３を引くことにより開封することができる。
【００２４】
このように開封補助テープ３を包装シート２の幅中央に対してずらして設ける握り飯用包装材や握り飯用包装材原反は例がなく、新規な外観を有し、意匠性が高い。この握り飯用包装材で包装された包装握り飯も、新規な外観を有し、開封時においてもさらに特徴のある外観となる。
【符号の説明】
【００２５】
１．握り飯用包装材
２．包装シート
３．開封補助テープ
４．切込み線
５．カバーシート
１０．握り飯用包装材原反
２０．包装握り飯
ｘ．握り飯
ｘ１．握り飯の広い面
ｘ２．握り飯の厚さ面
【図１】
2018095274.tif 000003
【図２】
2018095274.tif 000004
【図３】
2018095274.tif 000005
【図４】
2018095274.tif 000006
【図５】
2018095274.tif 000007
【図６】
2018095274.tif 000008
【図７】
2018095274.tif 000009
【図８】
2018095274.tif 000010
【図９】
2018095274.tif 000011
【図１０】
2018095274.tif 000012
【図１１】
2018095274.tif 000013
【図１２】
2018095274.tif 000014
【図１３】
2018095274.tif 000015
【図１４】
2018095274.tif 000016